(57)【要約】【課題】  包装箱の破断性を向上させる。【解決手段】  包装箱１は、所定の破断方向に沿って断続的に切り込まれた切込部５１と、切込部５１どうしの間で第一面部６０と第二面部７０とを接続する非切込部５２とを備える。さらに、切込部５１は、第一面部６０と第二面部７０との境界に延びる第一切込線Ｌ1と、第一面部６０において第一切込線Ｌ1に対して直角または鋭角に第一切込線Ｌ1の破断方向上流端から延びる第二切込線Ｌ2とを有する。【選択図】図３
2018090292.tif 000002
【特許請求の範囲】
【請求項１】
所定の破断方向に沿って断続的に切り込まれた切込部と、
前記切込部どうしの間で第一面部と第二面部とを接続する非切込部とを備え、
前記切込部は、前記第一面部と前記第二面部との境界に延びる第一切込線と、前記第一面部において前記第一切込線に対して直角または鋭角に前記第一切込線の破断方向上流端から延びる第二切込線とを有する
ことを特徴とする包装箱。
【請求項２】
前記第一面部は、封緘するテープの端部が貼り付けられる領域の少なくとも一部を含むテープ貼付面部を有する
ことを特徴とする請求項１に記載された包装箱。
【請求項３】
前記テープ貼付面部に連設される箇所を除いて周囲が切り込まれた開封補助部を備えた
ことを特徴とする請求項２に記載された包装箱。
【請求項４】
前記第一切込線は、折り曲げられる端縁に延びて設けられた
ことを特徴とする請求項１〜３の何れか１項に記載された包装箱。
【発明の詳細な説明】
【技術分野】
【０００１】
本件は、物品を包装する箱に関する。
【背景技術】
【０００２】
箱体の一つとして、一方の面部（以下「第一面部」という）が他方の面部（以下「第二面部」という）に対して破断部（いわゆる「ジッパ」）で引きちぎられて開封される包装箱が知られている。この破断部には、所定の破断方向に沿って断続的に切り込まれた切込部と、切込部どうしの間で第一面部と第二面部とを接続する非切込部とが設けられる。
第一面部が所定の破断方向に引っ張られると、第一面部と第二面部とが切込部で離隔し、非切込部が破断され、第二面部に対して第一面部が引きちぎられる。
【０００３】
このような破断部の一つとして、図７に示すように、二本の切込線Ｌ1′，Ｌ2′が鈍角の角部をなすように連設された切込部５１′が用いられたものがある。この破断部では、一方の切込線（以下「端縁切込線」という）Ｌ1′が第一面部６０′と第二面部７０′との境界をなす端縁に延び、他方の切込線（以下「傾斜切込線」という）Ｌ2′が第一面部６０′において端縁切込線Ｌ1′の破断方向上流端から上流側に傾斜して延びている（特許文献１参照）。
【先行技術文献】
【特許文献】
【０００４】
【特許文献１】特開2011-93601号公報
【発明の概要】
【発明が解決しようとする課題】
【０００５】
しかしながら、上述したような傾斜切込線の設けられた破断部では、非切込部を良好に破断できないおそれがある。なぜならば、第一面部が引きちぎられるときの非切込部における破断力の一部は、端縁切込線の破断方向下流端から下流側に向けて傾斜切込線の破断方向上流端に向けて作用して破断方向に沿いにくくなるからである。これにより、破断された非切込部に第二面部からの突出片が形成されやすくなる。よって、包装箱の破断性を向上させるうえで改善の余地がある。
【０００６】
本件は、上記のような課題に鑑みて創案されたものであり、包装箱の破断性を向上させることを目的の一つとする。なお、この目的に限らず、後述する「発明を実施するための形態」に示す各構成から導き出される作用および効果であって、従来の技術では得られない作用および効果を奏することも、本件の他の目的として位置付けることができる。
【課題を解決するための手段】
【０００７】
（１）ここで開示する包装箱は、所定の破断方向に沿って断続的に切り込まれた切込部と、前記切込部どうしの間で第一面部と第二面部とを接続する非切込部とを備える。さらに、前記切込部は、前記第一面部と前記第二面部との境界に延びる第一切込線と、前記第一面部において前記第一切込線に対して直角または鋭角に前記第一切込線の破断方向上流端から延びる第二切込線とを有する。
【０００８】
（２）前記第一面部は、封緘するテープの端部が貼り付けられる領域の少なくとも一部を含むテープ貼付面部を有することが好ましい。
（３）そのうえ、前記テープ貼付面部に連設される箇所を除いて周囲が切り込まれた開封補助部を備えることが好ましい。
（４）また、前記第一切込線は、折り曲げられる端縁に延びて設けられることが好ましい。
なお、ここで開示するシート材は、上述した包装箱に組み立てられる。
【発明の効果】
【０００９】
本件によれば、包装箱を破断する際に、非切込部における破断力が所定の破断方向に沿いやすくなり、第二面部からの突出片の形成が抑えられ、破断性を向上させることができる。
【図面の簡単な説明】
【００１０】
【図１】一実施形態に関する包装箱の斜視図である。
【図２】一実施形態に関する包装箱の展開図（シート材の平面図）である。
【図３】一実施形態に関する包装箱における破断部を示す要部拡大図である。
【図４】一実施形態に関する包装箱を開封する作業の説明図であり、把持部（開封補助部）が持ち上げられて第一破断部が破断された状態を示す。
【図５】一実施形態に関する包装箱に包装された物品を陳列する作業の説明図であり、図４の状態から更に作業がすすんで第二破断部（フラップ）の一部が引きちぎられた状態を示す。
【図６】一実施形態に関する包装箱に包装された物品を陳列する作業の説明図であり、図５の状態から更に作業がすすんで上壁部の全部が引きちぎられた後の状態を示す。
【図７】従来の破断部を示す要部拡大図である。
【発明を実施するための形態】
【００１１】
以下、本件を実施するための形態を述べる。下記の実施形態はあくまでも例示に過ぎず、この実施形態で明示しない種々の変形や技術の適用を排除する意図はない。本実施形態の各構成は、それらの趣旨を逸脱しない範囲で種々変形して実施することができ、また、必要に応じて取捨選択することができ、あるいは適宜組み合わせることができる。
【００１２】
下記の実施形態では、包装箱に加えて、包装箱に組み立てられるシート材（ブランクシート）を説明する。
これらの説明では、包装箱およびシート材が水平面に載置されたものとする。
ここでは、直方体の表面に沿って壁部が設けられた包装箱を説明する。具体的には、上下の開口がフラップで閉鎖される包装箱（いわゆる「Ａ式箱」）を例に挙げる。
【００１３】
さらに、包装箱については、水平方向を前後方向（図中には前方を「Ｆ」で示すとともに後方を「Ｂ」で示す）および左右方向（図中には左方を「Ｌ」で示すとともに右方を「Ｒ」で示す）に細別して説明する。左右方向は、後方から前方を向いたときの左側を左方とするとともに右側を右方とする。これらの左方および右方を区別しないときには側方と呼ぶ。また、鉛直方向のうち、重力の作用方向を下方（図中には「Ｄ」で示す）とし、下方の反対方向を上方（図中には「Ｕ」で示す）とする。
【００１４】
シート材については、水平方向において互いに直交するＸ方向およびＹ方向を用いて説明する。これらのＸ方向およびＹ方向のそれぞれは、互いに反対向きの二方向に延びる。そこで、各方向について、一方を下付きの添え字で「１」を付して示し、他方を下付きの添え字で「２」を付して示す。たとえば、Ｘ方向では、一方がＸ1方向であり、他方がＸ2方向である。
【００１５】
また、シート材の各シート片（各部位）については、対応する包装箱の壁部と同様の符号を付して説明する。また、シート片の各構造については、対応する包装箱の壁部の各構造と同様の符号を付すとともに同様の名称で説明する。
なお、シート材には、段ボールシートのほか、厚紙やプラスチックシートといった種々の材料（包装資材）を用いることができる。
【００１６】
［Ｉ．一実施形態］
［１．構成］
本件の包装箱には、第一面部を第二面部に対して引きちぎるための破断部が設けられている。以下、包装箱およびシート材について、破断部が設けられる前提の基本的な構成を述べてから、破断部に関する詳細な構成を述べる。
【００１７】
［１−１．基本構成］
まず、図１および図２を参照して、包装箱１およびシート材１Ｓの基本的な構成を説明する。
〈包装箱〉
図１に示すように、包装箱１には、前側の前壁部１０Ｆ，後側の後壁部１０Ｂ，左側の左壁部２０Ｌ，右側の右壁部２０Ｒ，上側の上壁部３０および下側の下壁部４０が設けられている。ここでは、前壁部１０Ｆ，後壁部１０Ｂ，左壁部２０Ｌ，右壁部２０Ｒが連なって設けられる。
【００１８】
なお、包装箱１は、前後対称であって左右対称に形成されている。そこで、前壁部１０Ｆと後壁部１０Ｂとを区別しないときには「端壁部１０」と呼び、左壁部２０Ｌと右壁部２０Ｒとを区別しないときには「側壁部２０」と呼ぶ。
上壁部３０は、二種のフラップ３１，３２から構成されている。これらのフラップ３１，３２のうち、一方は他方の内側に配置される内フラップ３１であり、他方は一方の外側に配置される外フラップ３２である。
【００１９】
内フラップ３１は、上壁部３０と端壁部１０との境界をなす前後の各端縁１３（上壁部３０の前後端縁，端壁部１０の上端縁）から突出して設けられる。具体的には、前側の内フラップ３１（以下「前フラップ３１Ｆ」という）と後側の内フラップ３１（以下「後フラップ３１Ｂ」という）とが前後に並んで設けられる。これら一対の内フラップ３１は、端壁部１０に対して折り曲げられており、先端縁３１０どうしが離隔して配置される。
【００２０】
外フラップ３２は、上壁部３０と側壁部２０との境界をなす左右の各端縁２３（上壁部３０の左右端縁，側壁部２０の上端縁）から突出して設けられる。具体的には、左側の外フラップ３２（以下「左フラップ３２Ｌ」という）と右側の外フラップ３２（以下「右フラップ３２Ｒ」という）とが左右に並んで設けられる。これら一対の外フラップ３２は、側壁部２０に対して折り曲げられており、先端縁３２０どうしが突き合わせられて配置される。
【００２１】
たとえば、包装箱１が封緘されるときには、左右の外フラップ３２Ｌ，３２Ｒを跨いでテープ９０が貼り付けられる。このとき、一方の端壁部１０（たとえば前壁部１０Ｆ）から他方の端壁部１０（たとえば後壁部１０Ｂ）までテープ９０が貼り付けられることで、包装箱１が確実に封緘される。詳細に言えば、テープ９０のうち前後の端部９０ａは、端壁部１０のうち所定の領域（以下「テープ貼付領域」という）Ｔに貼り付けられる。このテープ貼付領域Ｔは、テープ９０の端部９０ａが貼り付けられることの想定される範囲として、端壁部１０のうち上部に設定される。
そのほか、前後の内フラップ３１Ｆ，３１Ｂには、作業者の手を掛けるための手掛穴３９が穿設されている。
【００２２】
下壁部４０は、上壁部３０における各フラップ３１Ｆ，３１Ｂ，３２Ｌ，３２Ｒと同様に、内フラップ４１としての前フラップ４１Ｆおよび後フラップ４１Ｂと、外フラップ４２としての左フラップ４２Ｌおよび右フラップ４２Ｒとから構成されている。
【００２３】
〈シート材〉
つぎに、図２を参照して、包装箱１に組み立てられるシート材１Ｓを説明する。
シート材１Ｓは、所定の形状に切り取られた一枚の包装資材である。
このシート材１Ｓには、上述した各壁部１０，２０，３０，４０に対応する各シート片１０，２０，３０，４０が設けられている。
【００２４】
シート材１ＳのＹ方向中央領域には、端壁部１０および側壁部２０に対応する端壁シート片１０および側壁シート片２０がＸ方向に並んで設けられている。
具体的には、Ｘ１方向側からＸ2方向側に向けて、右壁部２０Ｒに対応する右壁シート片２０Ｒ，前壁部１０Ｆに対応する前壁シート片１０Ｆ，左壁部２０Ｌに対応する左壁シート片２０Ｌ，後壁部１０Ｂに対応する後壁シート片１０Ｂがこの順に並設される。さらに、後壁シート片１０ＢのＸ2方向側には、右壁シート片２０Ｒと後壁シート片１０Ｂとを糊付けやステープル留めで結合するための結合シート片９が設けられている。
【００２５】
これらのシート片２０Ｒ，１０Ｆ，２０Ｌ，１０Ｂ，９は、Ｙ方向（たとえばシート材１Ｓが段ボールシートからなる場合に段〈フルート〉の延在方向に沿う方向）に延びる罫線（以下「クリーズ」という）ＣでＸ方向に区画されている。このクリーズＣとして、第一クリーズＣ1，第二クリーズＣ2，第三クリーズＣ3，第四クリーズＣ4の四本がＸ１方向側からＸ2方向側に向けてこの順に並んで設けられている。
【００２６】
第一クリーズＣ1は、右壁シート片２０Ｒと前壁シート片１０Ｆとの境界に設けられ、第二クリーズＣ2は、前壁シート片１０Ｆと左壁シート片２０Ｌとの境界に設けられている。また、第三クリーズＣ3は、左壁シート片２０Ｌと後壁シート片１０Ｂとの境界に設けられ、第四クリーズＣ4は、後壁シート片１０Ｂと結合シート片９との境界に設けられている。
【００２７】
シート材１ＳのＹ1方向側領域には、下壁部４０に対応する下壁シート片４０が設けられている。
具体的には、内外のフラップ４１，４２に対応するフラップシート片４１，４２がＸ方向に並んで設けられる。詳細には、Ｘ１方向側からＸ2方向側に向けて、右フラップ４２Ｒに対応する右フラップシート片４２Ｒ，前フラップ４１Ｆに対応する前フラップシート片４１Ｆ，左フラップ４２Ｌに対応する左フラップシート片４２Ｌ，後フラップ４１Ｂに対応する後フラップシート片４１Ｂがこの順に並設される。
【００２８】
これらのフラップシート片４１，４２は、端壁シート片１０および側壁シート片２０からＹ1方向に突出して設けられる。また、フラップシート片４１，４２と端壁シート片１０および側壁シート片２０とは、Ｘ方向（たとえばシート材１Ｓが段ボールシートからなる場合に段の延在方向に直交する方向）に延びる罫線（以下「スコア」という）ＳでＹ方向に区画されている。このスコアＳとして、第一スコアＳ1，第二スコアＳ2，第三スコアＳ3，第四スコアＳ4，第五スコアＳ5の五本がＸ１方向側からＸ2方向側に向けてこの順に並んで設けられている。
【００２９】
第一スコアＳ1は、右フラップシート片４２Ｒと右壁シート片２０Ｒとの境界に設けられ、第二スコアＳ2は、前フラップシート片４１Ｆと前壁シート片１０Ｆとの境界に設けられる。また、第三スコアＳ3は、左フラップシート片４２Ｌと左壁シート片２０Ｌとの境界に設けられ、第四スコアＳ4は、後フラップシート片４１Ｂと後壁シート片１０Ｂとの境界に設けられる。そのほか、第五スコアＳ5は、結合シート片９をＹ方向に区画している。
【００３０】
シート材１ＳのＹ2方向側領域には、上壁部３０に対応する上壁シート片３０が設けられている。具体的には、内外のフラップ３１，３２に対応するフラップシート片３１，３２がＸ方向に並んで設けられる。詳細には、Ｘ１方向側からＸ2方向側に向けて、右フラップ３２Ｒに対応する右フラップシート片３２Ｒ，前フラップ３１Ｆに対応する前フラップシート片３１Ｆ，左フラップ３２Ｌに対応する左フラップシート片３２Ｌ，後フラップ３１Ｂに対応する後フラップシート片３１Ｂがこの順に並設される。
そのほか、前後のフラップシート片３１Ｆ，３１Ｂには、作業者の手を掛けるための手掛穴３９が穿設されている。
【００３１】
上記したフラップシート片３１，３２は、端壁シート片１０および側壁シート片２０からＹ2方向に突出して設けられている。また、フラップシート片３１，３２と端壁シート片１０および側壁シート片２０とは、つぎに詳述する破断部５０でＹ方向に区画されている。
【００３２】
［１−２．詳細構成］
以下、図１〜図３を参照して、包装箱１の破断部５０に関する構成の詳細を述べる。
この破断部５０は、図３に示すように、包装箱１の第一面部６０を第二面部７０に対して引きちぎるためのものである。
なお、第一面部６０とは、引きちぎられて取り除かれる面状の部位である。この第一面部６０は、所定の破断方向（白抜きの矢印で示す）に引きちぎられる方向が設定される。第二面部７０とは、第一面部６０に連設され、引きちぎられずに残る面状の部位である。これらの第一面部６０または第二面部７０は、壁部や壁シート片の何れかであってもよいし、その一部であってもよい。
【００３３】
〈包装箱〉
破断部５０には、所定の破断方向に沿って断続的に切り込まれた切込部５１と、切込部５１どうしの間で第一面部６０と第二面部７０とを接続する非切込部５２とが設けられている。
たとえば、破断部５０は、切込刃で包装資材を切り込むことによって形成することができる。この切込刃は、切込部５１に対応する形状に形成され、非切込部５２に対応する間隔をおいて断続的に突出して設けられたダイカッタに設けられる。
【００３４】
切込部５１には、第一面部６０と第二面部７０との境界に延びる第一切込線Ｌ1と、第一切込線Ｌ1に対して直角に延びる第二切込線Ｌ2とが設けられる。この第二切込線Ｌ2は、第一切込線Ｌ1の破断方向上流端から第一面部６０に延びている。つまり、切込部５１は、第一切込線Ｌ1と第二切込線Ｌ2とが角部５１ａで直角に連設されており、鉤形（Ｌ字形）に切り込まれている。たとえば、包装箱１が段ボール箱である場合には、第二切込線Ｌ2が段（フルート）の延在方向に沿って設けられる。
【００３５】
この切込部５１では、第一切込線Ｌ1よりも第二切込線Ｌ2のほうが短く形成されている。また、非切込部５２（すなわち第一切込線Ｌ1どうしの間）の破断方向寸法（いわゆる「アキ」）は、第一切込線Ｌ1の破断方向寸法（いわゆる「キリバ」）よりも短く設定されている。
ただし、上記した切込部５１および非切込部５２の各寸法は、包装箱１の材料や厚み，包装される物品，破断部５０での破断力（作業者に要求される負荷）といった種々の要因によって、さまざまな大きさに設定される。
【００３６】
つぎに、図１を参照して、包装箱１の破断部５０として二つの例を説明する。
ここでは、一方の破断部５０を第一破断部５０Ａと呼び、他方の破断部５０を第二破断部５０Ｂと呼ぶ。
第一破断部５０Ａは、テープ９０を剥がして開封するために設けられる。この第一破断部５０Ａに関しては、符号「６１」で第一面部（テープ貼付面部）を示し、符号「７１」で第二面部を示す。
第二破断部５０Ｂは、上壁部３０を構成するフラップ３１，３２を取り除くために設けられる。この第二破断部５０Ｂに関にしては、符号「６２」で第一面部を示し、符号「７２」で第二面部を示す。
【００３７】
第一破断部５０Ａでは、端壁部１０のうちテープ貼付領域Ｔの少なくとも一部を含む第一面部６１が設定される。この第一面部６１は、左右の外フラップ３２においてテープ９０で互いに貼り付けられる先端縁３２０の前端または後端の下方に設けられる。すなわち、上壁部３０に対してタグ状の第一面部６１が設けられる。
【００３８】
上記した第一面部６１の破断方向は、上方へ向かう方向に設定されている。
また、第一面部６１以外の他部が第二面部７１に設定されている。
ここでは、第一破断部５０Ａは、端壁部１０の上端縁（端縁１３）の一部がなす上底とこの上底よりも下底のほうが短い等脚台形状の脚とに対応する箇所に沿って設けられている。
【００３９】
そのほか、第一破断部５０Ａには、第一面部６１での引きちぎり作業性を向上させるために、作業者に把持される把持部（開封補助部）１１が連設されている。
把持部１１は、第一面部６１の下方に連設され、この連設される部分を除いて周囲が切り込まれている。この把持部１１は、下方に円弧が配置された半円状に形成されている。この半円の弦（直径）と上記した第一面部６１を区画する台形の下底とが重複し、この重複部分において把持部１１が第一面部６１に連設される。なお、把持部１１の周囲は、第一面部６１に対する連設部分を除いて、連続的に切れ込まれていてもよいし、断続的に切れ込まれていてもよい。
【００４０】
第二破断部５０Ｂでは、上壁部３０が第一面部６２に設定され、端壁部１０および側壁部２０が第二面部７２に設定されている。ここでは、上壁部３０と端壁部１０および側壁部２０との境界をなす端縁１３，２３に沿って第二破断部５０Ｂが設けられている。この第二破断部５０Ｂを詳細に言えば、第一切込線Ｌ1（図３参照）が端縁１３，２３に沿って延設され、第二切込線Ｌ2（図３参照）が第一面部６２に延設される。
【００４１】
上記した第二破断部５０Ｂの破断方向は、上壁部３０および端壁部１０の端縁１３においては、左方または右方から左右方向中央に向かう方向に設定される。そのため、端縁１３の左側では、第一切込線Ｌ1に対して左方に第二切込線Ｌ2が連設される。反対に、端縁１３の右側では、第一切込線Ｌ1に対して右方に第二切込線Ｌ2が連設される。
【００４２】
また、第二破断部５０Ｂの破断方向は、上壁部３０および側壁部２０の端縁２３においては、前方または後方から前後方向中央に向かう方向に設定されている。そのため、端縁２３の前側では、第一切込線Ｌ1に対して前方に第二切込線Ｌ2が連設される。反対に、端縁２３の後側では、第一切込線Ｌ1に対して後方に第二切込線Ｌ2が連設される。
ここでは、端縁１３，２３の中央に、第一切込線Ｌ1の両端のそれぞれに第二切込線Ｌ2が連設された切込部５１を例示する。
なお、上壁部３０および端壁部１０の端縁１３のうち左右方向中央では、第一破断部５０Ａと第二破断部５０Ｂとが重複している。
【００４３】
〈シート材〉
つぎに、図２を参照して、シート材１Ｓにおける破断部５０を説明する。
破断部５０のうち第一破断部５０Ａは、端壁シート片１０のＹ2方向側に設けられる。この第一破断部５０Ａは、端壁シート片１０のうち第一面部６１を区画する台形の脚（第一面部６１と他部とのＸ方向境界）とこの台形の上底（上壁部３０と端壁部１０との境界をなす端縁１３の左右方向中央に対応）とに沿って設けられている。さらに、第一破断部５０ＡのＹ1方向側には把持部１１が連設される。
破断部５０のうち第二破断部５０Ｂは、端壁シート片１０および側壁シート片２０と上壁シート片３０との境界をなす端縁１３，２３（端壁部１０および側壁部２０と上壁部３０との境界をなす端縁１３，２３に対応）に沿ってＸ方向に設けられる。
【００４４】
［１−３．作業手順］
つづいて、上述した破断部５０を用いた作業について説明する。
まず、第一破断部５０Ａを用いて包装箱１を開封する作業の手順Ａを説明する。
手順Ａの概要は、下記の手順Ａ１〜Ａ４に示す通りである。
手順Ａ１：一方（ここでは前方）の把持部１１を把持して第一面部６１を持ち上げる
（図４参照）
手順Ａ２：手順Ａ１で持ち上げた第一面部６１に貼り付けたままテープ９０を外フラ
ップ３２から剥がす
手順Ａ３：他方（ここでは後方）のテープ貼付領域Ｔからテープ９０を剥がす
手順Ａ４：上壁部３０をなすフラップ３１，３２を外側に開く
【００４５】
手順Ａ１では、把持部１１が持ち上げられて、第一破断部５０Ａが破断される。すなわち、前壁部１０Ｆにおいて、第一面部６１が第二面部７１に対して引きちぎられる。
手順Ａ２では、左右の外フラップ３２Ｌ，３２Ｒを跨いで貼り付けられたテープ９０が剥がされ、これらの外フラップ３２Ｌ，３２Ｒが端縁２３を軸に折り戻すことのできる状態となる。
【００４６】
手順Ａ３では、後壁部１０Ｂにおいて、テープ貼付領域Ｔからテープ９０が剥がされる。この後壁部１０Ｂにおいては、第一破断部５０Ａが破断されることなく、第一面部６１が第二面部７１に対して連設されたままの状態とされる。
手順Ａ４では、外フラップ３２Ｌ，３２Ｒが外側に折り戻され、内フラップ３２Ｆ，３２Ｂも外側に折り戻される。
【００４７】
つぎに、第二破断部５０Ｂを用いて包装箱１に物品を収容したまま外観可能に陳列する作業の手順Ｂを説明する。
手順Ｂの概要は、下記の手順Ｂ１およびＢ２に示す通りである。
手順Ｂ１：上述した手順Ａ１〜Ａ４
手順Ｂ２：手順Ａ４で開かれた各フラップ３１，３２を端壁部１０および側壁部２０
に対して引きちぎる（図５および図６参照）
この手順Ｂ２では、内フラップ３１（第一面部６２）が端壁部１０（第二面部７２）から引きちぎられ、外フラップ３２（第一面部６２）が側壁部２０（第二面部７２）から引きちぎられる（図５参照）。そして、フラップ３１，３２の全てが引きちぎられ、上壁部３０（図１参照）が取り除かれる（図６参照）。
【００４８】
［２．作用および効果］
一実施形態の包装箱１およびシート材１Ｓは、上述したように構成されることから、以下の作用および効果を得ることができる。
（１）包装箱１の破断部５０には、第一切込線Ｌ1の破断方向上流端から直角に延びる第二切込線Ｌ2が切込部５１に設けられることから、非切込部５２における破断力が所定の破断方向に沿いやすくなり、第二面部７０からの突出片の形成を抑えることができる。よって、破断性を向上させることができる。
【００４９】
一方、図７に示すように、従来の破断部５０′では、端縁切込線Ｌ1′の破断方向上流端から上流側に傾斜切込線Ｌ2′が傾斜して延びる切込部５１′が断続的に設けられる。そのため、非切込部５２′において破断力が所定の破断方向（白抜きの矢印で示す）に沿いにくく、第二面部７０′からの突出片が形成されやすく、破断性を確保できないおそれがある。なぜならば、端縁切込線Ｌ1′の破断方向下流端から下流側の傾斜切込線Ｌ2′における破断方向上流端に向けて、破断力（黒塗りの矢印で示す）が作用しうるからである。
【００５０】
これに対し、本件の破断部５０には、切込部５１において第一切込線Ｌ1の破断方向上流端から第二切込線Ｌ2が直角に延びる。そのため、第一切込線Ｌ1の破断方向下流端から下流側の第二切込線Ｌ2における先端に向けて、破断力の一部（黒塗りの矢印で示す）が非切込部５２で作用したとしても、従来の傾斜切込線Ｌ2′における破断方向上流端よりも下流側に第二切込線Ｌ2における先端を配置することができる。よって、非切込部５２における破断力を所定の破断方向に沿わせることができる。延いては、破断部５０で破断された箇所の美観を向上させることができる。
【００５１】
このように、本件の破断部５０は、従来の傾斜切込線Ｌ2′よりも第二切込線Ｌ2が下流側に配置されることから、従来の破断部５０′よりも破断力が大きくなりやすい。従来の破断部５０′を包装箱の端縁に設けた場合には、破断部５０′で破断すべきではないにもかかわらず端縁での破断を招くおそれがある。たとえば、作業員は、フラップを千切らずに折り曲げるだけのつもりだったにもかかわらず、端縁の一部または全部を破断させてしまうおそれがある。
【００５２】
これに対し、本件の破断部５０は、従来の破断部５０′での破断力よりも大きな破断力に設定しやすい。言い換えれば、破断部５０で容易に破断しないようにするとともに、破断すべきときに破断部５０で破断することができるように、破断力を調整しやすい。よって、包装箱１の予期せぬ破損の抑制と包装箱１の確実な破断とを両立することができる。このような点からも、包装箱１の破断性を向上させることができる。
【００５３】
そのほか、第一切込線Ｌ1に対応する切れ込みだけが断続的に設けられたミシン目の用いられる従来の破断部では、ミシン目を切れ込んで形成する切込刃に、ミシン目の形状に対応する直線状の刃が用いられる。これに対し、本件の切込部５１を形成する切込刃には、切込部５１の形状に対応する鉤形の刃を用いることができる。そのため、前者の切込刃よりも後者の切込刃のほうが折れ曲がりにくい。よって、切込部５１を形成する切込刃の耐久性を確保することもできる。
【００５４】
（２）第一面部６１にはテープ貼付領域Ｔの少なくとも一部が含まれることから、第一破断部５０Ａを破断させ、第二面部７１に対して第一面部６１を引きちぎることにより、包装箱１を封緘するテープ９０を容易に剥がすことができる。したがって、包装箱１の開封性を向上させることができる。
（３）そのうえ、第一面部６１に把持部１１が連設されることから、第一破断部５０Ａによってテープ貼付領域Ｔを引きちぎる際の作業性を高めることができる。
【００５５】
（４）第二破断部５０Ｂの各第一切込線Ｌ1が包装箱１の端縁１３，２３に延設されることから、包装箱１の上壁部３０を容易に引きちぎることができる。そのため、包装箱１に物品を収容したままで確実に視認可能な状態に陳列することができる。
また、包装箱１の端縁１３，２３に各第一切込線Ｌ1が延設されることで、端縁１３，２３で包装箱１を折り曲げやすくすることができる。そのため、端縁１３，２３に罫線を設けることなく、フラップ３１，３２を容易に折り曲げられるようにすることができる。このように罫線を省略することで、包装箱１の製造コストを低減させることもできる。
【００５６】
（５）ところで、段ボール箱に従来の破断部５０′が設けられ、段ボール箱で折り曲げられる端縁に端縁切込線Ｌ1′が設けられる場合には、傾斜切込線Ｌ2′が段（フルート）の延在方向と交差する。これにより、傾斜切込線Ｌ2′延いては端縁切込線Ｌ1′が第一面部６０′で盛り上がり（浮き上がり）、外観を良好に保つことができないおそれがある。
これに対し、本件の第二破断部５０Ｂは、包装箱１が段ボール箱であって第二破断部５０Ｂの第二切込線Ｌ2が段の延在方向に沿って設けられる場合に、第一面部６１における第二切込線Ｌ2の盛り上がりを抑え、第一切込線Ｌ1の盛り上がりも抑えることができる。よって、包装箱１の端縁１３，２３における折り跡の外観を良好に保つことができる。
【００５７】
そのほか、内フラップ３１Ｆ，３１Ｂに手掛穴３９が設けられることから、包装箱１の箱詰め作業性を向上させることができる。具体的には、フラップ３１，３２を折り曲げずに側壁部２０から上方に突出させた状態で箱詰め作業するときに、作業員が手掛穴３９に手を掛けて包装箱１を持ち上げたり運んだりすることができる。このとき、内フラップ３１Ｆ，３１Ｂあるいは外フラップ３２Ｌ，３２Ｒを折り曲げることがないため、端縁１３，２３の強度低下や破損を抑えることができる。
【００５８】
あるいは、切込部５１では、第一切込線Ｌ1よりも第二切込線Ｌ2のほうが短く形成されることから、破断方向上流側の第一切込線Ｌ1からその破断方向下流側の第一切込線Ｌ1へ向かう破断力を所定の破断方向へ確実に沿わせることができる。また、非切込部５２の破断方向寸法が第一切込線Ｌ1の破断方向寸法よりも短く設定されることから、非切込部５２を破断させるのに必要な負荷を抑えることができる。
なお、包装箱１に組み立てられるシート材１Ｓによっても、上述した作用および効果を得ることができる。
【００５９】
［ＩＩ．その他］
最後に、本実施形態のその他の変形例について述べる。
たとえば、切込部の切れ込み形状は、鉤形に限らず、Ｔ字形であってもよい。すなわち、第一切込線の破断方向上流端から二方向に延びる第二切込線を設けてもよい。この場合には、第一切込線を挟む二つの面部に第二切込線が延設される。したがって、一方の面部を第一面部とするとともに他方の面部を第二面部とすることができ、反対に、一方の面部を第二面部とするとともに他方の面部を第一面部とすることもできる。
【００６０】
また、第一切込線に対して第二切込線が連設される角度は、直角に限らず、鋭角であってもよい。この場合には、非切込部における破断力が所定の破断方向に更に沿いやすくなり、破断性を高めることができる。また、鋭角に連設された第一切込線および第二切込線を形成する切込刃の耐久性を確保することもできる。
そのほか、包装箱の前後左右にライナカットやカットテープを併設してもよい。この場合には、ライナカットなどで包装箱を上下に分離して開封する手法と、第一破断部で包装箱を破断して開封する手法との二つの手法で包装箱を開封することができる。
【００６１】
なお、包装箱の載置方向は、端壁部が前後に配置される姿勢に限定されず、端壁部が左右や上下に配置されてもよい。端壁部が左右に配置される場合には、前後を左右に読み替えるとともに左右を前後または上下に読み替え、左右を上下に読み替えたときには上下を前後に読み替えればよい。端壁部が上下に配置される場合には、前後を上下に読み替えるとともに上下を前後または左右と読み替え、上下を左右と読み替えたときには左右を前後に読み替えればよい。
【符号の説明】
【００６２】
１    包装箱
１Ｓ    シート材（ブランクシート）
１０    端壁部，端壁シート片
１１    把持部（開封補助部）
１３，２３    端縁
２０    側壁部，側壁シート片
３０    上壁部，上壁シート片
３１    内フラップ
３２    外フラップ
３９    手掛穴
４０    下壁部，下壁シート片
４１    内フラップ
４２    外フラップ
５０    破断部
５０Ａ    第一破断部
５０Ｂ    第二破断部
５１    切込部
５１ａ    角部
５２    非切込部
６０，６１，６２    第一面部（テープ貼付面部）
７０，７１，７２    第二面部
９０    テープ
９０ａ    端部
Ｌ1    第一切込線
Ｌ2    第二切込線
Ｃ    クリーズ（罫線）
Ｓ    スコア（罫線）
Ｔ    テープ貼付領域（領域）
【図１】
2018090292.tif 000003
【図２】
2018090292.tif 000004
【図３】
2018090292.tif 000005
【図４】
2018090292.tif 000006
【図５】
2018090292.tif 000007
【図６】
2018090292.tif 000008
【図７】
2018090292.tif 000009